(57)【要約】【課題】瞬時開閉現象による不具合の発生を抑えつつ小型化を可能とする。【解決手段】本発明に係るコンタクト１０は、第１コンタクト片１０１と第２コンタクト片１１１とを具備する。第１コンタクト片１０１は、メモリカードＭＣの電源端子に弾接する接触部１０３がそれぞれ先端部に設けられた略へ字状の一対の帯状ばね体１０２，１０２を先端で連結して略Ｕ字形に形成される。第２コンタクト片１１１は、電源端子に弾接する接触部１１３が先端部に設けられて略へ字状に形成され、第１コンタクト片１０１の一対の帯状ばね体１０２，１０２の間に配置された別の帯状ばね体１１２からなる。３つの接触部１０３，１１３で電源端子と接触するから瞬時開閉現象の発生が抑えられる。また、各帯状ばね体１０２，１０２の幅寸法を合わせた幅寸法を有する帯状ばね体と同程度のばね特性を有するから、先端部を二股に形成する従来例に比較して十分な接触圧及び強度が得られる。【選択図】        図１
2004152623.tif 000002
【特許請求の範囲】
【請求項１】
コネクタ本体に複数のコンタクトが配設され、コネクタ本体に装着される相手部材に設けられた複数の端子にそれぞれコンタクトが接触導通するコネクタのコンタクト構造において、前記端子に弾接する接触部がそれぞれ先端部に設けられた一対の帯状ばね体を先端で連結して略Ｕ字形に形成された第１コンタクト片と、前記一対の帯状ばね体の間に配置される別の帯状ばね体からなり前記端子に弾接する接触部が先端部に設けられた第２コンタクト片とからなり、第１コンタクト片の２つの接触部に対して第２コンタクト片の接触部を後端側に配置したことを特徴とするコネクタのコンタクト構造。
【請求項２】
コネクタ本体に複数のコンタクトが配設され、コネクタ本体に装着される相手部材に設けられた複数の端子にそれぞれコンタクトが接触導通するコネクタにおいて、前記端子の内で少なくとも相手部材が動作用の電源供給を受けるための電源端子に接触導通するコンタクトは、当該電源端子に弾接する接触部がそれぞれ先端部に設けられた一対の帯状ばね体を先端で連結して略Ｕ字形に形成された第１コンタクト片と、前記一対の帯状ばね体の間に配置される別の帯状ばね体からなり前記電源端子に弾接する接触部が先端部に設けられた第２コンタクト片とからなり、第１コンタクト片の２つの接触部に対して第２コンタクト片の接触部が後端側に配置されてなることを特徴とするコネクタ。
【発明の詳細な説明】
【０００１】
【発明の属する技術分野】
本発明は、コネクタのコンタクト構造並びにコネクタに関するものである。
【０００２】
【従来の技術】
コネクタ本体に複数のコンタクトが配設され、コネクタ本体に装着される相手部材に設けられた複数の端子にそれぞれコンタクトが接触導通するコネクタとして、例えば、ＳＤメモリカードやマルチメディアカード（ＭＭＣ）のようなメモリカードを相手部材とし、前方からメモリカードが挿入される挿入口を有し該挿入口にメモリカードが挿抜される略箱状のコネクタ本体と、コネクタ本体の内部に配設されメモリカード表面に設けられた複数の端子にそれぞれ接触導通する複数のコンタクトとを備えたメモリカード用コネクタが提供されている（例えば、特許文献１参照）。
【０００３】
【特許文献１】
特開２００１−３５７９４３号公報（第３頁−第４頁及び図１参照）
【０００４】
【発明が解決しようとする課題】
ところで、上記従来例におけるコンタクトは、弾性を有する金属材料からなり先端部を略へ字状に曲成して設けた接触部をメモリカード表面の端子に弾接させる構造であったが、落下等によってコネクタに衝撃が加えられたときにばね片のばね力による接触圧に抗して接触部と端子が瞬間的に開離して再び接触する現象（以下、「瞬時開閉現象」と呼ぶ）が発生する。そして、このような瞬時開閉現象がメモリカードへ給電するための電源端子（あるいはグランド端子）において発生した場合、メモリカードへの給電が瞬間的に停止する、いわゆる瞬断が生じてしまい、かかる瞬断がメモリカードのデータ書き込み時に発生するとデータを破壊してしまう虞があった。
【０００５】
そこで、上述のような瞬時開閉現象の発生を抑える、若しくは瞬時発生現象によってコンタクトの接触部と端子が開離している時間を極力短くするため、図１３に示すようにコンタクト２００の接触部２０１を除く部位を幅方向に広げてばね力をアップしたり、あるいは図１４に示すように先端部を二股に分割して接触部２１１を２つ設けるといった構造が提案されている。
【０００６】
しかしながら、前者の構造では、隣接する端子間のピッチが決まっているからコンタクト２００の幅を広げるにも限界があり十分な効果を得ることは難しい。また、後者の構造では、接触部２１１を２つにすることで接触部が１つの場合よりも瞬時開閉現象の発生が抑えられるもののコンタクト２１０の長さ寸法や形状に関する自由度が比較的に高い場合は実現可能であるが、このような自由度が低い場合には実現が困難であり、また効果も不十分であって接触部２１１に折れ等が生じ易いという欠点もあった。
【０００７】
本発明は上記事情に鑑みて為されたものであり、その目的は、瞬時開閉現象による不具合の発生を抑えつつ小型化が可能なコネクタのコンタクト構造並びにコネクタを提供することにある。
【０００８】
【課題を解決するための手段】
請求項１の発明は、上記目的を達成するために、コネクタ本体に複数のコンタクトが配設され、コネクタ本体に装着される相手部材に設けられた複数の端子にそれぞれコンタクトが接触導通するコネクタのコンタクト構造において、前記端子に弾接する接触部がそれぞれ先端部に設けられた一対の帯状ばね体を先端で連結して略Ｕ字形に形成された第１コンタクト片と、前記一対の帯状ばね体の間に配置される別の帯状ばね体からなり前記端子に弾接する接触部が先端部に設けられた第２コンタクト片とからなり、第１コンタクト片の２つの接触部に対して第２コンタクト片の接触部を後端側に配置したことを特徴とする。
【０００９】
請求項２の発明は、上記目的を達成するために、コネクタ本体に複数のコンタクトが配設され、コネクタ本体に装着される相手部材に設けられた複数の端子にそれぞれコンタクトが接触導通するコネクタにおいて、前記端子の内で少なくとも相手部材が動作用の電源供給を受けるための電源端子に接触導通するコンタクトは、当該電源端子に弾接する接触部がそれぞれ先端部に設けられた一対の帯状ばね体を先端で連結して略Ｕ字形に形成された第１コンタクト片と、前記一対の帯状ばね体の間に配置される別の帯状ばね体からなり前記電源端子に弾接する接触部が先端部に設けられた第２コンタクト片とからなり、第１コンタクト片の２つの接触部に対して第２コンタクト片の接触部が後端側に配置されてなることを特徴とする。
【００１０】
【発明の実施の形態】
以下、図面を参照して本発明の実施形態を詳細に説明する。但し、本実施形態では従来例で説明したＳＤメモリカード用のコネクタに用いられるコンタクトを例示するが、相手部材の端子にコンタクトに設けられる接触部を弾接させる形式のコネクタ全般について本発明の技術思想が適用可能である。
【００１１】
まず、本実施形態におけるコネクタの構成について説明する。このコネクタは、図５及び図６に示すように厚さが極薄いステンレス金属板を打ち抜き且つ曲げ加工することにより形成されたベースシェル１と、このベースシェル１と同様に厚さが極薄いステンレス金属板を打ち抜き且つ曲げ加工することにより形成され、ベースシェル１上に被着することで前部にメモリカード挿入口４２が開口する扁平な箱状のコネクタ本体３をベースシェル１とで構成するカバーシェル２と、コネクタ本体３の後部内に装着されるコンタクトブロック４と、コンタクトブロック４の前方側のコネクタ本体３内に前後方向に移動自在に配置されるコ字型の樹脂成形品からなるスライダ５とを主要な構成要素とする。
【００１２】
ベースシェル１は図７に示すように両側に上面（コネクタ本体３の内側に対応）側方向に折り曲げて形成した側片６ａ、６ｂを設けたもので、前後端が開放されている。そして後端にはコンタクトブロック４の樹脂製の基体７に上下方向に貫通させた圧入孔８（図８参照）に下方から圧入してコンタクトブロック４を後部上面に固定するための突出片９を所定間隔で両側方向に４つ折り曲げ形成している。
【００１３】
また後端よりやや前方位置にはコンタクトブロック４に固持される後述の各コンタクト１０…及びスイッチ片３０ａ、３０ｂ、３１ａ、３１ｂを逃がすための孔１１…を形成してある。
【００１４】
また各側片６ａ、６ｂの後端には各側片６ａ、６ｂの内側面に並行するように設けられるばね座用突片１２、１２の後端が一体連設されている。これらのばね座用突片１２はスライダ５の付勢用コイルばね１３（付勢ばね）の座屈を防止するために、付勢用コイルばね１３の一端部内に挿入される。
【００１５】
ところで側片６ａの上記ばね座用突片１２の先端位置よりやや前方位置には内側方向に、上記スライダ５の前後方向の移動を規制するカムピン１６の一端を支持するＬ字状片１４を切り起こしにより形成してある。詳しくは、このＬ字状片１４はその立片１４ａに軸孔１４ｂを形成してあり、軸孔１４ｂにはカムピン１６の一端の軸部１６ａが挿入され、軸部１６ａを回動自在に軸支している。カムピン１６は立片１４ａに並行するスライダ５の脚片５ｃの側面に形成した凹み部内に配置され、脚片５ｃの前側の外側面に形成したハートカム溝部１５に他端の軸部１６ｂを移動自在に係入させている。
【００１６】
更にベースシェル１の側片６ａの前部には上記カムピン１６の側面を側片６ａに並行するスライダ５の上記脚片５ｃ側に押圧する押圧ばね片１７を切り起こし形成してある。
【００１７】
またベースシェル１の前端（メモリカード挿入口４２側）には両側縁が前方に広がるように拡開形成した凹欠を形成し、この凹欠の傾斜辺となる両側縁に沿って上方に向けて逆入れ防止用の突片１８を切り起こしにより形成している。
【００１８】
この突片１８、１８間がメモリカードＭＣのメモリカード挿入口４２に対応し、各突片１８の上部内側縁部には段部１８ａを形成し、この両側の突片１８、１８の段部１８ａ、１８ａより上側の内側縁間の寸法をメモリカードＭＣの両側の最大幅の寸法よりやや大きく設定し、またベースシェル１の上面と段部１８ａの上向き面との間の寸法を、ベースシェル１の上面に裏面側を乗せた状態のメモリカードＭＣの裏面両側縁に前後方向の全長に亘って形成している下向き段部１０１の下向き面の高さ寸法よりやや小さい寸法に設定し、且つこの上向き段部１８ａより下側の内側縁間の寸法をメモリカードＭＣの下向き段部１０１より下方の両側幅の寸法よりやや大きく設定してある。
【００１９】
これによりメモリカードＭＣの裏面側をベースシェル１の上面側に載せる状態ではメモリカードＭＣの下向き段部１０１が突片１８の段部１８ａ上を通過することができて上記メモリカード挿入口４２からのメモリカードＭＣの挿入を可能とし、逆にメモリカードＭＣの表面をベースシェル１の上面側に向けた場合にはメモリカードＭＣのベースシェル１側となった両側部が両側の突片１８、１８の内側縁間を通過できず、メモリカードＭＣの表裏方向の間違いによる誤挿入を防止するようなっている。
【００２０】
また、コンタクトブロック４の右端のコンタクト１０’に対応する右端の孔１１の前側（メモリカード挿入口４２側）の内側縁には切り起こしによってストッパ片２６を形成している。つまりメモリカードＭＣの前後方向が正規の方向でメモリカード挿入口４２に挿入される場合には、メモリカードＭＣの裏面に設けた端子（図示せず）へ誘い込む溝（図示せず）の開口を介してコンタクト１０…は接触位置へ移動することができるが、前後方向を逆にした非正規の方向でメモリカードＭＣが挿入されようとした場合には挿入方向の前面部にストッパ片２６が衝合してそれ以上の移動を規制し、コンタクトブロック４のコンタクト１０…の先部がメモリカードＭＣの挿入側の前面に当たって破損されるのを防ぐようになっている。
【００２１】
一方、カバーシェル２は図９に示すように両側に折り曲げによって下向きの側片２０、２０を一体に設け、また後端には所定間隔で３つの下向きの突出片２１を折り曲げ形成している。これらの突出片２１はベースシェル１上にカバーシェル２を被着する際に、ベースシェル１の上面後端部に配置するコンタクトブロック４の基体７上面に開口するように貫通させている圧入孔２２に圧入してコンタクトブロック４を固定するためのものである。
【００２２】
またこのカバーシェル２の前部側にはコネクタ本体３内に挿入されるメモリカードＭＣの表面に印したマーク（図示せず）が視認できる窓孔２３を打ち抜き形成するとともに、この窓孔２３の両側には並行するようにスリット２４を打ち抜き形成し、このスリット２４と窓孔２３の間の片２５の中央部をカバーシェル２の下面よりも下方へ突出させてその突出先端で上記コネクタ本体３内に挿入されるメモリカードＭＣの表面に弾性接触させてメモリカードＭＣを押さえる部位としている。
【００２３】
コンタクトブロック４は、図８に示すようにメモリカードＭＣの後部裏面に複数（ＳＤメモリカードでは９つ）並行形成している端子に夫々接触する複数（ほんじっしけいたいでは９つ）のコンタクト１０…と、メモリカードＭＣの位置検出用の一対のスイッチ片３０ａ、３０ｂと、メモリカードＭＣのライトプロテクトスイッチＳＷの位置検出用の一対のスイッチ片３１ａ、３１ｂとを樹脂製の基体７にインサート成形によって一体保持させており、基体７の前面（メモリカード挿入口４２）側にはコンタクト１０…及びスイッチ片３０ａ、３０ｂ、３１ａ、３１ｂの接触側を突出させ、後面側には回路基板等に夫々を半田付けするための半田付け端子部３２…を突出させている。そして基体７は前側上部に段部を設け、この段部に一端が開口するように上記圧入孔８…を上下方向に貫通させ、また基体７の後側上面に一端が開口するように圧入孔２２…を基体７の後部に上下方向に貫通させている。また基体７の両側面にはベースシェル１の後部両側に設けたばね座用突片１２、１２を挿入する付勢用コイルばね１３、１３の一端側部を嵌めてガイドする凹欠４７を設けてある。ここで一側面側の凹欠４７を基体７の下部側に、他側面側の凹欠４７は基体の上部側に夫々設けている。なお、本発明の要旨であるコンタクト１０の構造については後に詳しく説明する。
【００２４】
スライダ５は、図５に示すように合成樹脂成形品により中央片５ａの両端前部より前方へ脚片５ｂ、５ｃを一体突出されてコ字型に形成されものであり、中央片５ａの下面側には、後方移動時にスイッチ片３０ａ、３０ｂ、３１ａ、３１ｂやコンタクト１０…の先部を前方へ突出させるための凹溝３３…を対応形成してある。
【００２５】
両側脚片５ｂ、５ｃはメモリカードＭＣの左右側部のガイドとして機能するもので、夫々の前端内側面を脚片５ｂ、５ｃの内側面間の距離が外向けに拡開するように傾斜面３４としてある。
【００２６】
また、一方の脚片５ｂには上部後端から中央方向に外側部と上部と後端部とが開口した断面略Ｕ型の細溝３５を形成してあり、この細溝３５には上述した付勢用コイルばね１３の他端部が収納されて、細溝３５の前端内面が付勢用コイルばね１３の弾発力を受ける面となっている。同様に他方の脚片５ｃにも別の付勢用コイルばね１３の他端部を収納する細溝（図示せず）が形成されており、細溝の前端内面で付勢用コイルばね１３の弾発力を受けるようになっている。ここで、両脚片５ｂ、５ｃが均等に付勢用コイルばね１３、１３の弾発力を前方方向に受けることで、スライダ５はコネクタ本体３内をスムーズに前後方向に摺動できることになる。
【００２７】
また両脚片５ｂ、５ａの内側面の下部には前端から後方に向けてメモリカードＭＣの両側の下向き段部９１を載置摺動するための受けガイド１９ａ、１９ｂを一体に形成してある。
【００２８】
更に一方の脚片５ｃの前部側の外側面にはハートカム溝部１５を形成してある。このハートカム溝部１５は図１０（ａ）（ｂ）に示すようにハートカム１５ａとガイド溝１５ｂとから構成され、カムピン１６の軸部１６ｂをガイド溝１５ｂに係入し、スライダ５の前後移動に伴い、ガイド溝１５ｂとガイド溝１５ｂの底面に形成した凹凸面１５ｃとでカムピン１６の軸部１６ｂのガイド溝１５ｂ内の相対的な移動をガイドするようなっている。
【００２９】
また中央片５ａと脚片５ｃとで囲まれた入り隅にはメモリカードＭＣの挿入側の前部の一角に形成した傾斜カット部９２が衝合する傾斜面５ｄを前面に形成した張出部５ｅを設けている。
【００３０】
ロック体５０は、例えばステンレス鋼のような弾性を有する金属材料の薄板に打ち抜き加工且つ曲げ加工を施すことによって形成され、図１１（ａ）〜（ｃ）に示すように、細長い帯板状であって脚片５ｃの内側面と略並行に配設されるレバー片５０ａと、レバー片５０ａの前端部の下側縁からレバー片５０ａと略直交する方向に突出する突出片５０ｂと、突出片５０ｂの基部後縁から連続一体に延設され中間部が後方に突出するように湾曲した弾接片５０ｃと、レバー片５０ａの後端縁から側片５ｃと反対側に突出するく字状の係止片５０ｄとで構成される。
【００３１】
そしてロック体５０は、前端側に設けた突出片５０ｂ及び弾接片５０ｃを脚片５ｃの保持孔３６内に圧入することで脚片５ｃに保持され、突出片５０ｂの前端部が凹部１５ｄに突出している。また、脚片５ｃには上面側及び内面側に開放された凹欠部３９が形成されており、この凹欠部３９の内部にロック体５０のレバー片５０ａが配置される。
【００３２】
保持孔３６の内部は内面側（メモリカードＭＣ側）の開口端に比べて前後方向の幅寸法が幅広に形成されているので、突出片５０ｂ及び弾接片５０ｃを保持孔３６内に挿入すると、弾接片５０ｃが保持孔３６の開口縁と係止することでロック体５０が保持孔３６から外れないようになっており、また突出片５０ｂ及び弾接片５０ｃが保持孔３６内で自由に移動できるようになっている。ここで、突出片５０ｂの前端部は保持孔３６から凹部１５ｄ内に突出しており、メモリカードＭＣのロック時にカムピン１６の軸部１６ｂが凹部１５ｄに嵌り込むと、付勢用コイルばね１３がスライダ５を前方方向に付勢する力で、軸部１６ｂによって突出片５０ｂの前端部が後方に押圧される。この押圧力によってレバー片５０ａの後端部がメモリカードＭＣに近付く向きに撓むように弾性変形し、係止片５０ｄが凹欠部３９を出てメモリカードＭＣのロック用凹部９３に係入するので、メモリカードＭＣの抜けが防止されるのである。一方、メモリカードＭＣのロック時以外ではカムピン１６の軸部１６ｂが凹部１５ｄから外に出るため、ロック体５０の突出片５０ｂを後方に押す力が無くなり、レバー片５０ａの弾性復帰力で係止片５０ｄがロック用凹部９３から凹欠部３９内に退避し、係止片５０ｄとロック用凹部９３との係止状態が解除される。
【００３３】
次にメモリカードＭＣを本実施形態のコネクタへ挿着する場合の各部の動作について説明する。
【００３４】
まずメモリカードＭＣを前後方向及び表裏方向を正規な方向に向けてコネクタ本体３のメモリカード挿入口４２から挿入すると、メモリカードＭＣの下面両側部の下向き段部９１、９１がベースシェル１の前端に形成している突片１８の段部１８ａ上を通過してメモリカードＭＣの先部がコネクタ本体３内のスライダ５の両脚片５ｂ、５ｃ間に挿入され、受けガイド１９ａ、１９ｂ上に下向き段部９１、９１が乗ることになる。更にメモリカードＭＣをコネクタ本体３内に挿入すると、やがてメモリカードＭＣの先部の片側に形成した傾斜カット部９２がスライダ５の張出部５ｅの傾斜面５ｄに衝合してスライダ５を後方へ押すことになる。また更にスライダ５に加わる付勢用コイルばね１３、１３の弾発力に抗して更にメモリカードＭＣを押し入れると、メモリカードＭＣの移動に共動してスライダ５が後退することになる。このスライダ５の後退によりカムピン１６の軸部１６ｂはハートカム溝部１５のガイド溝１５ｂの底部の凹凸面１５ｃによってガイドされながらハートカム１５ａの下側のガイド溝１５ｂの位置ｂへ移動することになる（図１０参照）。そしてメモリカードＭＣをスライダ５の中央片５ａの後面がコンタクトブロック４の基体７の前面に当たる位置に近い位置まで押し込むと、カムピン１６の軸部１６ｂがガイド溝１５ｂの前端部に当たる位置ｃに至ることになり（図１０参照）、それ以上の押し込みができなくなる。この位置でメモリカードＭＣに加えていた押し込み力を解除すると、付勢用コイルばね１３の弾発力によりスライダ５がメモリカードＭＣと共に前方へ戻りかけるが、カムピン１６の軸部１６ｂがガイド溝１５ｂに案内されながらハートカム１５ａの凹部１５ｄに嵌り込む位置ｄまで移動することになる。従ってカムピン１６の軸部１６ｂがハートカム１５ａの凹部１５ｄに当接することで、これ以上のスライダ５の前方移動が規制され、メモリカードＭＣはその位置でコネクタ本体３内に留まることになる。
【００３５】
さて上記メモリカードＭＣは押し込みによってその先部が所定位置へ移動すると、スライダ５の中央片５ａの下面の凹溝３３…より前方へ突出せる各コンタクト１０…の先部がメモリカードＭＣの裏面に形成した対応する端子に順次接触することになる。またスライダ５の中央片５ａの凹溝３３を介して前方へ突出せるスイッチ片３０ａの先部がメモリカードＭＣの傾斜カット部９２によって押されて他方のスイッチ片３０ｂに接触するとスイッチオンとなる。このスイッチ信号を利用して外部の検出回路（図示せず）によりメモリカードＭＣが正規位置に挿着されたことを検出することができる。
【００３６】
またスイッチ片３１ａ、３１ｂ側に対応するメモリカードＭＣの一側面にはライトプロテクトのスイッチＳＷの摘み９４が露出する凹部９５を設けており、スイッチＳＷの摘み９４の凹部９５内の移動位置により、スイッチ片３１ｂの先部が摘み９４に乗り上げるか凹部９５内に落ち込むことで下方に位置するスイッチ片３１ａの先部から離れるか接触することになり、このスイッチ信号でメモリカードＭＣがライトプロテクト状態にあるか否かを検出できるようになっている。
【００３７】
メモリカードＭＣを装着した状態で、スライダ５の後方への移動はハートカム１５ａの凹部１５ｄにカムピン１６の軸部１６ｂが嵌り込むことで規制されるが、メモリカードＭＣはそのままではコネクタ本体３内より脱落する恐れがある。そこで本実施形態では、スライダ５が所定位置へ移動して、カムピン１６の軸部１６ｂがハートカム１５ａのロック位置（凹部１５ｄ）に留まると、保持孔３６から凹部１５ｄ内に突出するロック体５０の突出片５０ｂがカムピン１６の軸部１６ｂによって後方へ押圧され、この押圧力によってレバー片５０ａの後端部がメモリカードＭＣに近付く向きに撓むように弾性変形し、レバー片５０ａの後端部に設けた係止片５０ｄが凹欠部３９を出て、脚片５ｃの内側面よりも内側へ突出するようになっており、係止片５０ｄがメモリカードＭＣのロック用凹部９３に係入することで、メモリカードＭＣをロックするようになっている。
【００３８】
以上のように挿着されたメモリカードＭＣをコネクタより取り出すときには、まずコネクタ本体３のメモリカード挿入口４２より露出するメモリカードＭＣの後部を挿入方向に押してスライダ５とともにメモリカードＭＣを挿入方向へ移動させる。この移動によってカムピン１６の軸部１６ｂがハートカム１５ａの凹部１５ｄから離脱するとともにガイド溝１５ｂにガイドされて凹部１５ｄより上側のガイド溝１５ｂ内の位置ｅへ移動する（図１０参照）。この時、カムピン１６の軸部１６ｂが凹部１５ｄから離脱することで、付勢用コイルばね１３がスライダ５を前方に付勢する力によって、軸部１６ｂがロック体５０の突出片５０ｂを後方へ押圧する力が無くなるから、突出片５０ｂの前端部が保持孔３６から凹部１５ｄ内に突出するとともに、レバー片５０ａの弾性復帰力によって係止片５０ｄが凹欠部３９内に退避して、係止片５０ｄとメモリカードＭＣのロック用凹部９３との係止状態が解除される。このようにロック体５０の係止片５０ｄは、カムピン１６の軸部１６ｂがロック位置（凹部１５ｄ）にある場合のみロック用凹部９３に係入しており、軸部１６ｂがロック位置から外れると、係止片５０ｄとロック用凹部９３との係止状態が確実に解除される。而して、メモリカードＭＣを引き抜く際にメモリカードＭＣに無理な力が加えられたとしても、係止片５０ｄがロック用凹部９３に係入されていないので、係止片５０ｄ（ロック体５０）やロック用凹部９３が変形するといった事故を確実に防止できる。
【００３９】
その後、メモリカードＭＣの押し込み力を解除すると、スライダ５は付勢用コイルばね１３、１３の弾発力により前方へ移動することなる。スライダ５が前方へ移動すると、スライダ５の移動に伴ってカムピン１６の軸部１６ｂはガイド溝１５ｂにガイドされながらハートカム１５ａの上側のガイド溝１５ｂ内の位置ｆ（図１０参照）を介して移動する。スライダ５は、付勢用コイルばね１３、１３の弾発力によりメモリカード挿入口４２側へ移動して元の状態に復帰することになり、カムピン１６の軸部１６ｂはガイド溝１５ｂの後端部の位置ａに移動する。この時、メモリカードＭＣの後部はコネクタ本体３のメモリカード挿入口４２から外部へ大きく露出し、メモリカードＭＣをコネクタ本体３から取り出すことができることになる。
【００４０】
次に、本発明の要旨であるコンタクト１０の構造について説明する。本実施形態においては、合計９本のコンタクト１０の内でメモリカードＭＣの電源端子（ＶＤＤとＶＳＳ）に接触導通する２本のコンタクト１０、すなわち、図８（ｂ）における右から４番目（ＶＳＳ）及び５番目（ＶＤＤ）のコンタクト１０に本発明のコンタクト構造を適用しており、これ以外のコンタクト１０’は従来例と共通の構造を採用している。
【００４１】
本発明に係るコンタクト１０は、図１〜図４に示すように第１コンタクト片１０１と第２コンタクト片１１１とを具備する。第１コンタクト片１０１は、メモリカードＭＣの電源端子（図示せず）に弾接する接触部１０３がそれぞれ先端部に設けられた略へ字状の一対の帯状ばね体１０２，１０２を先端で連結して略Ｕ字形に形成される。また、第２コンタクト片１１１は、電源端子に弾接する接触部１１３が先端部に設けられて略へ字状に形成され、第１コンタクト片１０１の一対の帯状ばね体１０２，１０２の間に配置された別の帯状ばね体１１２からなる。但し、第２コンタクト片１１１を構成する帯状ばね体１１２の長さ寸法は第１コンタクト片１０１を構成する帯状ばね体１０２，１０２の長さ寸法よりも短くなっており、第１コンタクト片１０１の２つの接触部１０３，１０３に対して第２コンタクト片１１１の接触部１１３が後端側に配置されている（図２及び図３参照）。なお、第１コンタクト片１０１と第２コンタクト片１１１とは単一の帯板状のばね材を打ち抜き及び曲げ加工することで一体に形成されている。
【００４２】
而して、上述のように構成されたコンタクト１０は、略Ｕ字形の第１コンタクト片１０１が具備する２つの接触部１０３，１０３と第２コンタクト片１１１が具備する接触部１１３とを合わせて合計３つの接触部１０３，１１３で電源端子と接触するから、外部から衝撃等が加わった場合においても、２つの接触部を有する従来例に比較して電源端子に対する瞬時開閉現象の発生あるいはその継続時間が抑えられ、ひいては瞬時開閉現象による瞬断の発生並びに瞬断時間が抑えられることになる。その結果、メモリカードＭＣへのデータ書き込み時に瞬断が発生してデータが破壊されるというような不具合の発生が抑制できる。また、それぞれに接触部１０３を有する一対の帯状ばね体１０２，１０２を先端で連結して略Ｕ字形の第１コンタクト片１０１を形成しているから、各帯状ばね体１０２，１０２の幅寸法を合わせた幅寸法を有する帯状ばね体と同程度のばね特性を有することとなり、先端部を二股に形成する従来例に比較して十分な接触圧及び強度が得られる。さらに、第１コンタクト片１０１の中に第２コンタクト片１１１を配置させる構造であるから、接触部１０３，１１３の数を３つに増やしているにもかかわらずコンタクト１０の寸法増加を抑えることができ、ひいてはコネクタの小型化が可能である。なお、図１２に示すように十分な接触圧が得られる範囲内で第１コンタクト片１０１（帯状ばね体１０２）の接触部１０３近傍の部位の幅を狭くすることも可能であり、これによってさらなる小型化が図れる。
【００４３】
【発明の効果】
請求項１の発明は、コネクタ本体に複数のコンタクトが配設され、コネクタ本体に装着される相手部材に設けられた複数の端子にそれぞれコンタクトが接触導通するコネクタのコンタクト構造において、前記端子に弾接する接触部がそれぞれ先端部に設けられた一対の帯状ばね体を先端で連結して略Ｕ字形に形成された第１コンタクト片と、前記一対の帯状ばね体の間に配置される別の帯状ばね体からなり前記端子に弾接する接触部が先端部に設けられた第２コンタクト片とからなり、第１コンタクト片の２つの接触部に対して第２コンタクト片の接触部を後端側に配置したことを特徴とし、略Ｕ字形の第１コンタクト片が具備する２つの接触部と第２コンタクト片が具備する接触部とを合わせて合計３つの接触部で端子と接触するから、２つの接触部を有する従来例に比較して瞬時開閉現象による不具合の発生が抑えられる。また、それぞれに接触部を有する一対の帯状ばね体を先端で連結して略Ｕ字形の第１コンタクト片を形成しているから、先端部を二股に形成する従来例に比較して十分な接触圧及び強度が得られるとともに、接触部の数を３つに増やしているにもかかわらず第１コンタクト片の中に第２コンタクト片を配置させることで小型化が可能である。
【００４４】
請求項２の発明は、コネクタ本体に複数のコンタクトが配設され、コネクタ本体に装着される相手部材に設けられた複数の端子にそれぞれコンタクトが接触導通するコネクタにおいて、前記端子の内で少なくとも相手部材が動作用の電源供給を受けるための電源端子に接触導通するコンタクトは、当該電源端子に弾接する接触部がそれぞれ先端部に設けられた一対の帯状ばね体を先端で連結して略Ｕ字形に形成された第１コンタクト片と、前記一対の帯状ばね体の間に配置される別の帯状ばね体からなり前記電源端子に弾接する接触部が先端部に設けられた第２コンタクト片とからなり、第１コンタクト片の２つの接触部に対して第２コンタクト片の接触部が後端側に配置されてなることを特徴とし、略Ｕ字形の第１コンタクト片が具備する２つの接触部と第２コンタクト片が具備する接触部とを合わせて合計３つの接触部で電源端子と接触するから、２つの接触部を有する従来例に比較して瞬時開閉現象による瞬断の発生が抑えられる。また、それぞれに接触部を有する一対の帯状ばね体を先端で連結して略Ｕ字形の第１コンタクト片を形成しているから、先端部を二股に形成する従来例に比較して十分な接触圧及び強度が得られるとともに、接触部の数を３つに増やしているにもかかわらず第１コンタクト片の中に第２コンタクト片を配置させることでコネクタの小型化が可能である。
【図面の簡単な説明】
【図１】本実施形態のコンタクトを示す斜視図である。
【図２】同上の平面図である。
【図３】同上の側面図である。
【図４】同上の背面図である。
【図５】本実施形態のコネクタを示す分解斜視図である。
【図６】同上の斜視図である。
【図７】同上のベースシェルを示し、（ａ）は背面図、（ｂ）は上面図、（ｃ）は正面図、（ｄ）は右側から見た側面図である。
【図８】同上のコンタクトブロックを示し、（ａ）は背面図、（ｂ）は上面図、（ｃ）は正面図である。
【図９】同上のカバーシェルを示し、（ａ）は背面図、（ｂ）は上面図、（ｃ）は正面図、（ｄ）は右側から見た側面図である。
【図１０】同上のスライダーを示し、（ａ）は要部の上面図、（ｂ）は要部の側面図である。
【図１１】同上のスライダーを示し、（ａ）は図１０（ａ）のＸ−Ｘ断面図、（ｂ）は図１０（ａ）のＹ−Ｙ断面図である。
【図１２】同上におけるコンタクトの他の構造を示し、（ａ）は正面図、（ｂ）は側面図、（ｃ）は側断面図である。
【図１３】従来例におけるコンタクトを示し、（ａ）は正面図、（ｂ）は側面図である。
【図１４】他の従来例におけるコンタクト示し、（ａ）は平面図、（ｂ）は側面図、（ｃ）は正面図、（ｄ）は腰部断面図である。
【符号の説明】
１０  コンタクト
１０１  第１コンタクト片
１０２  帯状ばね体
１０３  接触部
１１１  第２コンタクト片
１１２  帯状ばね体
１１３  接触部
【図１】
2004152623.tif 000003
【図２】
2004152623.tif 000004
【図３】
2004152623.tif 000005
【図４】
2004152623.tif 000006
【図５】
2004152623.tif 000007
【図６】
2004152623.tif 000008
【図７】
2004152623.tif 000009
【図８】
2004152623.tif 000010
【図９】
2004152623.tif 000011
【図１０】
2004152623.tif 000012
【図１１】
2004152623.tif 000013
【図１２】
2004152623.tif 000014
【図１３】
2004152623.tif 000015
【図１４】
2004152623.tif 000016